【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
ネットワーク上に接続されている複数の印刷装置のうち、何れか１つの印刷装置に対して印刷データを送信する情報処理装置であって、
印刷データの送信先の印刷装置が、受信した印刷データをメモリに保持させると共に、前記印刷データの保存先を示すコードを当該印刷データに付加する機能を有しているのか否かを判断する判断手段と、
前記送信先の印刷装置が前記機能を有している場合には、当該印刷データを当該印刷装置に送信する第１の送信手段と、
前記送信先の印刷装置が前記機能を有していない場合には、少なくとも前記機能におけるメモリへの保持機能を有している装置を検索する検索手段と、
前記検索手段が検索した１つ以上の装置のうち１つの装置に対して当該印刷データをメモリに保持させるべく送信する第２の送信手段と、
前記第２の送信手段で送信した印刷データの保存先を示すコードを当該印刷データに付加し、前記送信先の印刷装置に送信する第３の送信手段と
を備えることを特徴とする情報処理装置。
【請求項２】
前記判断手段は、印刷データの送信先の印刷装置に問い合わせることで、当該印刷装置が前記機能を有しているのか否かをチェックすることを特徴とする請求項１に記載の情報処理装置。
【請求項３】
前記検索手段は、前記複数の印刷装置のそれぞれに問い合わせることで、前記機能を有している印刷装置を検索することを特徴とする請求項１に記載の情報処理装置。
【請求項４】
前記第２の送信手段は、
前記検索手段が検索した１つ以上の装置に関する情報を一覧表示する一覧表示手段と、
前記一覧表示手段が表示している１つ以上の装置に関する情報のうち、１つを選択する指示を受け付ける受付手段とを備え、
前記受付手段が受け付けた指示でもって選択された装置に対して、印刷データを送信することを特徴とする請求項１に記載の情報処理装置。
【請求項５】
ネットワーク上に接続されている複数の印刷装置のうち、何れか１つの印刷装置に対して印刷データを送信する情報処理装置であって、
印刷データの送信先の印刷装置が、受信した印刷データをメモリに保持させると共に、前記印刷データの保存先を示すコードを当該印刷データに付加する機能を有しているのか否かを判断する判断手段と、
前記送信先の印刷装置が前記機能を有している場合には、当該印刷データを当該印刷装置に送信する第１の送信手段と、
前記送信先の印刷装置が前記機能を有していない場合には、前記機能を有している装置を検索する検索手段と、
前記検索手段が検索した１つ以上の装置に対し、当該印刷データをメモリに保持させるとともにその保存先を示すコードの付加及び当該保存先を示すコードが付加された印刷データを前記送信先の印刷装置に転送させるべく、印刷データ及び前記送信先の印刷装置を特定する情報を送信する第２の送信手段と
を備えることを特徴とする情報処理装置。
【請求項６】
印刷データを受信する受信手段と、
前記受信手段で受信した印刷データをメモリに保存する保存手段と、
前記保存手段で保存した印刷データの保存先を示すコードを前記受信手段で受信した印刷データに付加する付加手段と、
前記受信手段で受信した印刷データの転送先を識別する識別手段と、
前記識別手段で識別した転送先に前記付加手段で前記保存先を示すコードを付加した印刷データを転送する転送手段と
を備えることを特徴とする情報処理装置。
【請求項７】
前記受信手段で受信した印刷データに基づいて中間データを生成する生成手段を備え、
前記保存手段は前記印刷データを前記生成手段によって中間データとした後にメモリに保存することを特徴とする請求項６に記載の情報処理装置。
【請求項８】
前記受信手段で受信した印刷データを転送すべきか否か判断する判断手段と、
前記判断手段で転送すべきでないと判断された場合に前記受信手段で受信した印刷データに基づく画像を印刷する印刷手段とを備え、
前記印刷手段は前記受信手段で受信した印刷データに前記付加手段で前記保存先を示すコードを付加した後に印刷を行うことを特徴とする請求項６または７に記載の情報処理装置。
【請求項９】
ネットワーク上に接続されている複数の印刷装置と、当該複数の印刷装置のうち、何れか１つの印刷装置に対して印刷データを送信する情報処理装置とを有するシステムであって、
前記情報処理装置は、
印刷データの送信先の第１の印刷装置が、受信した印刷データをメモリに保持させると共に、前記印刷データの保存先を示すコードを当該印刷データに付加する機能を有しているのか否かを判断する判断手段と、
前記第１の印刷装置が前記機能を有している場合には、当該印刷データを前記第１の印刷装置に送信する第１の送信手段と、
前記第１の印刷装置が前記機能を有していない場合には、前記複数の印刷装置のうち、少なくとも前記機能におけるメモリへの保持機能を有している印刷装置を検索する検索手段と、
前記検索手段が検索した第２の印刷装置に対し、当該印刷データ及び前記第１の印刷装置を特定する情報を送信する第２の送信手段とを備え、
前記第２の印刷装置は、
前記第２の送信手段が送信した印刷データに基づく画像をメモリに登録する登録手段と、
前記登録手段による印刷データの登録先を示すコードを付加する付加手段と、
前記第２の送信手段が送信した印刷データ及び前記付加手段で付加された前記登録先を示すコードを前記第１の印刷装置に転送する転送手段と
を備えることを特徴とするシステム。
【請求項１０】
ネットワーク上に接続されている複数の印刷装置のうち、何れか１つの印刷装置に対して印刷データを送信する情報処理方法であって、
印刷データの送信先の印刷装置が、受信した印刷データをメモリに保持させると共に、前記印刷データの保存先を示すコードを当該印刷データに付加する機能を有しているのか否かを判断する判断工程と、
前記送信先の印刷装置が前記機能を有している場合には、当該印刷データを当該印刷装置に送信する第１の送信工程と、
前記送信先の印刷装置が前記機能を有していない場合には、少なくとも前記機能におけるメモリへの保持機能を有している装置を検索する検索工程と、
前記検索工程で検索した１つ以上の装置のうち１つの装置に対して当該印刷データをメモリに保持させるべく送信する第２の送信工程と、
前記第２の送信工程で送信した印刷データの保存先を示すコードを当該印刷データに付加し、前記送信先の印刷装置に送信する第３の送信工程と
を備えることを特徴とする情報処理方法。
【請求項１１】
ネットワーク上に接続されている複数の印刷装置のうち、何れか１つの印刷装置に対して印刷データを送信する情報処理方法であって、
印刷データの送信先の印刷装置が、受信した印刷データをメモリに保持させると共に、前記印刷データの保存先を示すコードを当該印刷データに付加する機能を有しているのか否かを判断する判断工程と、
前記送信先の印刷装置が前記機能を有している場合には、当該印刷データを当該印刷装置に送信する第１の送信工程と、
前記送信先の印刷装置が前記機能を有していない場合には、前記機能を有している装置を検索する検索工程と、
前記検索工程で検索した１つ以上の装置に対し、当該印刷データをメモリに保持させるとともにその保存先を示すコードの付加及び当該保存先を示すコードが付加された印刷データを前記送信先の印刷装置に転送させるべく、印刷データ及び前記送信先の印刷装置を特定する情報を送信する第２の送信工程と
を備えることを特徴とする情報処理方法。
【請求項１２】
コンピュータに請求項１０又は１１に記載の情報処理方法を実行させる為のプログラム。
【請求項１３】
請求項１２に記載のプログラムを格納した、コンピュータ読み取り可能な記憶媒体。
【手続補正２】
【補正対象書類名】明細書
【補正対象項目名】０００７
【補正方法】変更
【補正の内容】
【０００７】
即ち、ネットワーク上に接続されている複数の印刷装置のうち、何れか１つの印刷装置に対して印刷データを送信する情報処理装置であって、
印刷データの送信先の印刷装置が、受信した印刷データをメモリに保持させると共に、前記印刷データの保存先を示すコードを当該印刷データに付加する機能を有しているのか否かを判断する判断手段と、
前記送信先の印刷装置が前記機能を有している場合には、当該印刷データを当該印刷装置に送信する第１の送信手段と、
前記送信先の印刷装置が前記機能を有していない場合には、少なくとも前記機能におけるメモリへの保持機能を有している装置を検索する検索手段と、
前記検索手段が検索した１つ以上の装置のうち１つの装置に対して当該印刷データをメモリに保持させるべく送信する第２の送信手段と、
前記第２の送信手段で送信した印刷データの保存先を示すコードを当該印刷データに付加し、前記送信先の印刷装置に送信する第３の送信手段と
を備えることを特徴とする。
【手続補正３】
【補正対象書類名】明細書
【補正対象項目名】０００９
【補正方法】変更
【補正の内容】
【０００９】
即ち、ネットワーク上に接続されている複数の印刷装置のうち、何れか１つの印刷装置に対して印刷データを送信する情報処理装置であって、
印刷データの送信先の印刷装置が、受信した印刷データをメモリに保持させると共に、前記印刷データの保存先を示すコードを当該印刷データに付加する機能を有しているのか否かを判断する判断手段と、
前記送信先の印刷装置が前記機能を有している場合には、当該印刷データを当該印刷装置に送信する第１の送信手段と、
前記送信先の印刷装置が前記機能を有していない場合には、前記機能を有している装置を検索する検索手段と、
前記検索手段が検索した１つ以上の装置に対し、当該印刷データをメモリに保持させるとともにその保存先を示すコードの付加及び当該保存先を示すコードが付加された印刷データを前記送信先の印刷装置に転送させるべく、印刷データ及び前記送信先の印刷装置を特定する情報を送信する第２の送信手段と
を備えることを特徴とする。
【手続補正４】
【補正対象書類名】明細書
【補正対象項目名】００１３
【補正方法】変更
【補正の内容】
【００１３】
即ち、ネットワーク上に接続されている複数の印刷装置と、当該複数の印刷装置のうち、何れか１つの印刷装置に対して印刷データを送信する情報処理装置とを有するシステムであって、
前記情報処理装置は、
印刷データの送信先の第１の印刷装置が、受信した印刷データをメモリに保持させると共に、前記印刷データの保存先を示すコードを当該印刷データに付加する機能を有しているのか否かを判断する判断手段と、
前記第１の印刷装置が前記機能を有している場合には、当該印刷データを前記第１の印刷装置に送信する第１の送信手段と、
前記第１の印刷装置が前記機能を有していない場合には、前記複数の印刷装置のうち、少なくとも前記機能におけるメモリへの保持機能を有している印刷装置を検索する検索手段と、
前記検索手段が検索した第２の印刷装置に対し、当該印刷データ及び前記第１の印刷装置を特定する情報を送信する第２の送信手段とを備え、
前記第２の印刷装置は、
前記第２の送信手段が送信した印刷データに基づく画像をメモリに登録する登録手段と、
前記登録手段による印刷データの登録先を示すコードを付加する付加手段と、
前記第２の送信手段が送信した印刷データ及び前記付加手段で付加された前記登録先を示すコードを前記第１の印刷装置に転送する転送手段と
を備えることを特徴とする。
【手続補正５】
【補正対象書類名】明細書
【補正対象項目名】００１５
【補正方法】変更
【補正の内容】
【００１５】
即ち、ネットワーク上に接続されている複数の印刷装置のうち、何れか１つの印刷装置に対して印刷データを送信する情報処理方法であって、
印刷データの送信先の印刷装置が、受信した印刷データをメモリに保持させると共に、前記印刷データの保存先を示すコードを当該印刷データに付加する機能を有しているのか否かを判断する判断工程と、
前記送信先の印刷装置が前記機能を有している場合には、当該印刷データを当該印刷装置に送信する第１の送信工程と、
前記送信先の印刷装置が前記機能を有していない場合には、少なくとも前記機能におけるメモリへの保持機能を有している装置を検索する検索工程と、
前記検索工程で検索した１つ以上の装置のうち１つの装置に対して当該印刷データをメモリに保持させるべく送信する第２の送信工程と、
前記第２の送信工程で送信した印刷データの保存先を示すコードを当該印刷データに付加し、前記送信先の印刷装置に送信する第３の送信工程と
を備えることを特徴とする。
【手続補正６】
【補正対象書類名】明細書
【補正対象項目名】００１７
【補正方法】変更
【補正の内容】
【００１７】
即ち、ネットワーク上に接続されている複数の印刷装置のうち、何れか１つの印刷装置に対して印刷データを送信する情報処理方法であって、
印刷データの送信先の印刷装置が、受信した印刷データをメモリに保持させると共に、前記印刷データの保存先を示すコードを当該印刷データに付加する機能を有しているのか否かを判断する判断工程と、
前記送信先の印刷装置が前記機能を有している場合には、当該印刷データを当該印刷装置に送信する第１の送信工程と、
前記送信先の印刷装置が前記機能を有していない場合には、前記機能を有している装置を検索する検索工程と、
前記検索工程で検索した１つ以上の装置に対し、当該印刷データをメモリに保持させるとともにその保存先を示すコードの付加及び当該保存先を示すコードが付加された印刷データを前記送信先の印刷装置に転送させるべく、印刷データ及び前記送信先の印刷装置を特定する情報を送信する第２の送信工程と
を備えることを特徴とする。